(57)【特許請求の範囲】
【請求項１】
制御基板の表側を覆うカバー体と、前記制御基板の裏側を覆うベース体とを組み付けてなる遊技機用制御基板ケースに配設されて、該遊技機用制御基板ケースを封印する封印構造であって、
前記カバー体の一側部に設けられる第一の係止用側壁部と、
該第一の係止用側壁部と内外方向に対向するように前記ベース体に設けられる第二の係止用側壁部と、
前記第一の係止用側壁部と前記第二の係止用側壁部との間に形成される切断用間隙と、
前記第一の係止用側壁部及び前記第二の係止用側壁部を抜き取り不能に貫通することで、両係止用側壁部を係合して前記遊技機用制御基板ケースを封印する固定部材と、
前記切断用間隙の上部を覆う蓋板と、
該蓋板の下方で、前記切断用間隙を上下に隔てる遮蔽部と
を備え、
前記蓋板は、破断容易な破断部によってほぼ閉塞された工具差込口を備え、前記遮蔽部は、前記工具差込口の下方に、破断容易な破断部によってほぼ閉塞された工具通過口を備えており、
前記固定部材は、少なくとも前記遮蔽部の下方で前記第一の係止用側壁部及び前記第二の係止用側壁部を貫通しており、切断工具を前記工具差込口及び前記工具通過口に挿通し、前記切断用間隙内で前記固定部材を切断することにより前記遊技機用制御基板ケースの封印を解除するよう構成されたものであり、
前記蓋板は、少なくとも一部が透明であり、前記蓋板を透過して前記遮蔽部の前記破断部を視認可能となっていることを特徴とする遊技機用制御基板ケースの封印構造。
【請求項２】
前記固定部材は、前記第一の係止用側壁部及び前記第二の係止用側壁部を抜き取り不能に貫通する複数の固定ピンを備えており、
前記複数の固定ピンの一部は、前記工具差込口と前記工具通過口との間を通過して前記切断用間隙を横断し、
前記複数の固定ピンの残りは、前記工具通過口の下方を通過して前記切断用間隙を横断していることを特徴とする請求項１に記載の遊技機用制御基板ケースの封印構造。
【請求項３】
前記工具差込口、前記工具通過口、及び前記複数の固定ピンが、上下方向に一列に配置されていることを特徴とする請求項２に記載の遊技機用制御基板ケースの封印構造。
【請求項４】
前記固定部材は、操作部の一側面に、前記複数の固定ピンを一方向に突設してなるものであり、前記操作部の他側面を前記固定ピンの突出方向に押圧操作することで、前記各固定ピンを前記第一の係止用側壁部及び前記第二の係止用側壁部に貫通させるものであることを特徴とする請求項２又は請求項３に記載の遊技機用制御基板ケースの封印構造。
【請求項５】
前記工具通過口の前記破断部は、前記工具差込口の前記破断部よりも破断し易いことを特徴とする請求項１乃至請求項４のいずれか１項に記載の遊技機用制御基板ケースの封印構造。
【請求項６】
前記工具差込口及び前記工具通過口の外周縁には、前記破断部によって閉塞されない隙間、及び／又は破断部が薄肉となった薄肉部が形成されており、前記工具差込口及び前記工具通過口は、夫々の外周縁が上下に不一致となるように形成されていることを特徴とする請求項１乃至請求項５のいずれか１項に記載の遊技機用制御基板ケースの封印構造。
【請求項７】
請求項１乃至請求項６のいずれか１項に記載の封印構造を複数備えてなる遊技機用制御基板ケース。
【請求項８】
請求項７に記載の遊技機用制御基板ケースを、遊技機に固定される取付ホルダに係止する係止構造であって、
前記取付ホルダは、前記ベース体に挿通される係止板部を備え、
前記ベース体の底部には、前記第二の係止用側壁部の近傍に、前記係止板部を挿通させる挿通溝が設けられており、
前記取付ホルダの前記係止板部は、前記固定部材が抜き取り不能に貫通することとなる係合孔を備え、
前記ベース体に挿通された前記係止板部は、前記第一の係止用側壁部及び前記第二の係止用側壁部と平行に配置され、前記第一の係止用側壁部及び前記第二の係止用側壁部を貫通した前記固定部材が、さらに、前記係止板部を貫通することで、両係止用側壁部と前記係止板部を係合して、前記遊技機用制御基板ケースを封印するとともに、前記遊技機用制御基板ケースを前記取付ホルダに係止することを特徴とする遊技機用制御基板ケースの係止構造。
【発明の詳細な説明】
【技術分野】
【０００１】
本発明は、遊技機の制御基板を収容する遊技機用制御基板ケースにあって、制御基板の改変を防止するためにケースを封印する封印構造に関する。
【背景技術】
【０００２】
遊技機用制御基板ケース（以下、制御基板ケースという。）の封印構造としては、カバーの一側壁が該一側壁に対応するベースの対応側壁の外側および内側のいずれか一方に隙間を介して位置するように前記カバーおよび前記ベースが配置され、前記隙間を有した状態で前記一側壁と前記対応側壁とを連結、固定する固定部材と、前記固定部材の切断工具を差し込むために前記カバーの上壁の前記隙間の上方位置に形成された差込口と、前記差込口に破断可能で、かつ前記差込口をほぼ閉塞した状態に設けられた破断部とを備え、前記破断部が破断されることにより、前記差込口に切断工具を差し込んで前記固定部材を途中で切断可能な状態になるものが知られている（例えば、特許文献１）。かかる従来の封印装置によれば、破断部によって切断工具の不正な差込みを防止でき、また、破断部の不正な破断があったときは不正の痕跡を外部から容易に発見することができる、とされている。
【先行技術文献】
【特許文献】
【０００３】
【特許文献１】特開２００５−１９２７９２号公報
【発明の概要】
【発明が解決しようとする課題】
【０００４】
ところで、上記従来構成では、制御基板ケースの封印を解除するためには、破断部を破断して切断用工具を差込口に挿入しなければならないから、破断部が破断されていないことを目視確認することで、封印が不正に解除されていないことを確認できるようになっている。しかしながら、特許文献１の構成では、破断部を破断容易とするために、差込口の外周縁に、破断部で覆われていない隙間や、破断部が薄肉になった薄肉部が設けられている。このため、差込口に隙間が存在するものでは、ピアノ線等の細長いものであれば、破断部を破断せずに差込口に挿入することができる。また、差込口に隙間が存在しないものであっても、薄肉部に微小孔を開けることで、破断部に目立った痕跡を残さずにピアノ線等を差込口に挿入可能となる。このため、将来的には、不正技術が向上し、細い不正工具を差込口に挿入して、破断部に目立った痕跡を残さずに固定部材を切断し、封印を不正に解除する手法が開発される可能性がある。また、差込口に挿入した不正工具によって、固定部材を破損させることなく側壁から引き抜いて、封印を解除する手法が開発される可能性もある。仮に、こうした手法によって制御基板ケースの封印が不正に解除された場合、引き抜いた固定部材や複製した固定部材を用いて再封印されてしまうと、不正の発見は困難となる。
【０００５】
本発明はかかる現状に鑑みてなされたものであり、上記従来構成に比べてケースが不正に開放され難い制御基板ケースの封印構造を提案することを目的とする。
【課題を解決するための手段】
【０００６】
本発明は、制御基板の表側を覆うカバー体と、前記制御基板の裏側を覆うベース体とを組み付けてなる遊技機用制御基板ケースに配設されて、該遊技機用制御基板ケースを封印する封印構造であって、前記カバー体の一側部に設けられる第一の係止用側壁部と、該第一の係止用側壁部と内外方向に対向するように前記ベース体に設けられる第二の係止用側壁部と、前記第一の係止用側壁部と前記第二の係止用側壁部との間に形成される切断用間隙と、前記第一の係止用側壁部及び前記第二の係止用側壁部を抜き取り不能に貫通することで、両係止用側壁部を係合して前記遊技機用制御基板ケースを封印する固定部材と、前記切断用間隙の上部を覆う蓋板と、該蓋板の下方で、前記切断用間隙を上下に隔てる遮蔽部とを備え、前記蓋板は、破断容易な破断部によってほぼ閉塞された工具差込口を備え、前記遮蔽部は、前記工具差込口の下方に、破断容易な破断部によってほぼ閉塞された工具通過口を備えており、前記固定部材は、少なくとも前記遮蔽部の下方で前記第一の係止用側壁部及び前記第二の係止用側壁部を貫通しており、切断工具を前記工具差込口及び前記工具通過口に挿通し、前記切断用間隙内で前記固定部材を切断することにより前記遊技機用制御基板ケースの封印を解除するよう構成されたものであり、前記蓋板は、少なくとも一部が透明であり、前記蓋板を透過して前記遮蔽部の前記破断部を視認可能となっていることを特徴とする遊技機用制御基板ケースの封印構造である。ここで、本発明にあって、「上方」とは、制御基板ケースのカバー体側を指し、「下方」とは、制御基板ケースのベース体側を指す。
【０００７】
かかる構成にあっては、制御基板ケースの封印を正規に解除する場合は、切断用工具を遮蔽部の下方まで挿入するために、工具差込口及び工具通過口の破断部を破断して、工具差込口及び工具通過口を開口させることとなる。一方、本構成では、工具差込口の破断部だけでなく、工具通過口の破断部も蓋体を透して視認可能であるから、制御基板ケースの封印を不正に解除する場合には、工具差込口と工具通過口の破断部に目立った痕跡を残さずに固定部材を完全に切断する必要がある。しかしながら、工具通過口は、蓋板に覆われて、切断用間隙の奥まった位置に配置されているため、その破断部へは、不正工具を近付けることすら困難である。仮に、痕跡が目立たない方法で不正工具を蓋板の工具差込口へ挿入し、不正工具を工具通過口に近付けられたとしても、工具差込口を殆ど開口させずに挿入した不正工具は、満足に操作できない窮屈な状態であるから、工具差込口に挿入した不正工具を、さらに工具通過口に挿入しようとしても、工具差込口の破断部には痕跡が残ってしまい、不正が露見してしまう。このため、本発明の封印構造によれば、痕跡を残さずに封印を解除するのが一層困難となり、制御基板ケースにかかる封印構造を採用すれば、制御基板ケースの不正開放を確実に防止可能となる。
【０００８】
本発明にあって、前記固定部材は、前記第一の係止用側壁部及び前記第二の係止用側壁部を抜き取り不能に貫通する複数の固定ピンを備えており、前記複数の固定ピンの一部は、前記工具差込口と前記工具通過口との間を通過して前記切断用間隙を横断し、前記複数の固定ピンの残りは、前記工具通過口の下方を通過して前記切断用間隙を横断している構成が提案される。
【０００９】
かかる構成にあっては、固定部材の複数の固定ピンは工具通過口の上下に分かれて配置されるため、工具通過口の上側に配置された固定ピンが障害となって、遮蔽部へ細工を行い難くなり、不正工具を工具通過口に挿入するのが極めて困難となる。
【００１０】
また、上記構成にあって、前記工具差込口、前記工具通過口、及び前記複数の固定ピンが、上下方向に一列に配置されている構成が提案される。
【００１１】
固定部材が複数の固定ピンを備える場合、制御基板ケースの封印を解除するためには、全ての固定ピンを切断する必要がある。かかる構成では、破断・切断すべき破断部と固定ピンが上下一列に配置されているため、封印を解除する際は、工具差込口の破断部→上側の固定ピン→工具通過口の破断部→下側の固定ピンと、上から順番に一連の流れで破断・切断作業を効率よく行うことができる。特に、本構成では、破断部の破断時と固定ピンの切断時で共通の工具を使用するようにすれば、制御基板ケースの封印の解除をよりスムーズに行うことが可能となる。このため、本構成によれば、係止用側壁部に固定ピンを複数貫通させても、封印解除作業が煩雑にならずに済む。
【００１２】
また、本発明にあって、前記固定部材は、操作部の一側面に、前記複数の固定ピンを一方向に突設してなるものであり、前記操作部の他側面を前記固定ピンの突出方向に押圧操作することで、前記各固定ピンを前記第一の係止用側壁部及び前記第二の係止用側壁部に貫通させるものである構成が提案される。
【００１３】
かかる構成にあっては、固定部材の操作部を一度押圧操作するだけで、複数の固定ピンを、第一の係止用側壁部や第二の係止用側壁部に同時に貫通させることができるから、封印作業の手間を増やすことなく、複数の固定ピンによって制御基板ケースを強固に封印することが可能となる。
【００１４】
また、本発明にあって、前記工具通過口の前記破断部は、前記工具差込口の前記破断部よりも破断し易い構成が提案される。
【００１５】
かかる構成にあっては、工具通過口の破断部を破断し易い分だけ、正規の封印解除作業で、工具通過口を容易に開口させることができ、また、不正な封印解除を試みられた際に破断部に痕跡が残り易く、不正が露見し易くなる。なお、ケース外に露出する蓋板は、外部からの衝撃で偶発的に破損してしまわないように一定の強度を確保する必要があるが、ケース内に設けられる遮蔽部には、外部から衝撃が直に加わることがないため、工具通過口の破断部は、極めて破断し易い構成にすることができる。
【００１６】
また、本発明にあって、前記工具差込口及び前記工具通過口の外周縁には、前記破断部によって閉塞されない隙間、及び／又は破断部が薄肉となった薄肉部が形成されており、前記工具差込口及び前記工具通過口は、夫々の外周縁が上下に不一致となるように形成されている構成が提案される。
【００１７】
隙間や薄肉部が形成された工具差込口及び工具通過口の外周縁は、不正工具を比較的挿入され易い部分であるが、かかる構成にあっては、工具差込口及び工具通過口の外周縁が上下に一致しないように配置されているため、工具差込口の隙間や薄肉部を介して挿入した不正工具を切断用間隙の奥まで挿入し難くなる。工具差込口と工具通過口の外周縁が上下に不一致する具体的な方法としては、各外周縁をずらして配置したり、工具差込口と工具通過口のサイズや外周形状を相違させたりすることが挙げられる。
【００１８】
また、本発明の別の態様は、上記封印構造を複数備えてなる遊技機用制御基板ケースである。上記封印構造は、封印を解除する際に固定部材を切断するため再使用はできないが、かかる制御基板ケースは、具備された封印構造の数だけ、封印と解除を繰り返すことができるから、監督機関による遊技機検査では制御基板ケースを一時的に開放して制御基板の確認を行うことができる。
【００１９】
また、本発明の別の態様は、上記遊技機用制御基板ケースを、遊技機に固定される取付ホルダに係止する係止構造であって、前記取付ホルダは、前記ベース体に挿通される係止板部を備え、前記ベース体の底部には、前記第二の係止用側壁部の近傍に、前記係止板部を挿通させる挿通溝が設けられており、前記取付ホルダの前記係止板部は、前記固定部材が抜き取り不能に貫通することとなる係合孔を備え、前記ベース体に挿通された前記係止板部は、前記第一の係止用側壁部及び前記第二の係止用側壁部と平行に配置され、前記第一の係止用側壁部及び前記第二の係止用側壁部を貫通した前記固定部材が、さらに、前記係止板部を貫通することで、両係止用側壁部と前記係止板部を係合して、前記遊技機用制御基板ケースを封印するとともに、前記遊技機用制御基板ケースを前記取付ホルダに係止することを特徴とする遊技機用制御基板ケースの係止構造である。
【００２０】
かかる係止構造は、制御基板ケースの封印構造を用いて実現されるため、係止構造を単独で配設する場合に比べて、簡単な構成によって実現できる。また、かかる構成では、制御基板ケースの封印作業と取付ホルダへの係止作業を同時に行うことができ、さらには、制御基板ケースの封印解除作業と取付ホルダとの係止解除作業も同時に行うことができるから、夫々の作業を別個に行う場合に比べて、作業を簡略化できる。
【発明の効果】
【００２１】
以上に述べたように、本発明によれば、従来構成に比して、目立った痕跡を残さずに制御基板ケースの封印を解除するのが一層困難となるから、制御基板ケースの不正開放をより確実に防止可能となる。また、本発明の制御基板ケースの係止構造によれば、ケースの封印と取付ホルダへの係止、及びそれらの解除作業を簡略化することが可能となる。
【図面の簡単な説明】
【００２２】
【図１】スロットマシン１の開放状態を示す斜視図である。
【図２】開放状態の筐体２の正面図である。
【図３】遊技機用制御基板ケース７及び取付ホルダ９ａ，９ｂの斜視図である。
【図４】上方から見た遊技機用制御基板ケース７の分解斜視図である。
【図５】下方から見た遊技機用制御基板ケース７の分解斜視図である。
【図６】固定部材１２の斜視図である。
【図７】ロック前状態の第一封印構造４１ａを示す、制御基板ケース７の拡大断面図である。
【図８】ロック状態の第一封印構造４１ａを示す、制御基板ケース７の拡大断面図である。
【図９】（ａ）は、カバー体１０の右側部分の拡大斜視図であり、（ｂ）は、ベース体１１の右側部分の拡大斜視図である。
【図１０】ベース体１１を切断して右内側部分を示す斜視図である。
【図１１】遊技機用制御基板ケース７の右側部の平面拡大図である。
【図１２】第一封印構造４１ａのロック状態の解除手順を示す説明図である。
【図１３】図１２から続く、第一封印構造４１ａのロック状態の解除手順を示す説明図である。
【図１４】第一封印構造４１ａの作用説明図である。
【図１５】第二封印構造４１ｂの断面図であり、（ａ）はロック前状態を、（ｂ）はロック状態を示す。
【図１６】変形例を示す説明図である。
【図１７】変形例を示す説明図である。
【図１８】変形例を示す説明図である。
【発明を実施するための形態】
【００２３】
本発明の実施形態を、以下の実施例に従って説明する。
図１は、本発明を適用したスロットマシン（遊技機）１である。図１に示すように、スロットマシン１の筐体２は前方に開放しており、前方から前扉３によって覆われている。図１に示すように、筐体２の中央部には三つのリール４が設けられ、前扉３の中央部には、リール４を視認するための視認窓５が設けられる。
【００２４】
筐体２には、図１，２に示すように、リール４の上方に、遊技を統括的に制御する制御基板８を収容した遊技機用制御基板ケース（以下、制御基板ケースという。）７が取り付けられる。具体的には、図２に示すように、制御基板ケース７は、筐体２の背面側を覆う背板２ａに螺着された左右一対の取付ホルダ９ａ，９ｂに対して、その底部を背板２ａに向けた状態で取り付けられている。
【００２５】
取付ホルダ９ａ，９ｂは、図３に示すように、屈曲した金属片によって構成される。左側の取付ホルダ９ａは、制御基板ケース７の左側面に被着する側板９０と、側板９０の後縁から内方に延出する筐体取付部９１と、側板９０の前縁から外方に延出するケース取付部９２とを備えている。筐体取付部９１及びケース取付部９２には、ネジ９３を挿通する貫通孔９４が夫々形成されており、筐体取付部９１を筐体２の背板２ａに螺着し、ケース取付部９２に制御基板ケース７の左側部を螺着することで、制御基板ケース７の左側部が筐体２に固定される。一方、右側の取付ホルダ９ｂは、制御基板ケース７の底部右側に垂直に挿入されることとなる係止板部９５と、係止板部９５の後縁から内方に延出して筐体２の背板２ａに螺着される筐体取付部９６とを備えている。この右側の取付ホルダ９ｂは、本発明の制御基板ケースの係止構造を構成するものであり、後述するように、制御基板ケース７の右側部に係止板部９５を挿入した状態で、該係止板部９５に形成された係合孔９７に固定部材１２を挿通することで、制御基板ケース７が取付ホルダ９ｂと係合し、筐体２に係止されることとなる。なお、左右の取付ホルダ９ａ，９ｂを背板２ａに螺着するネジ９３は、制御基板ケース７によって覆われることとなるため、制御基板ケース７の装着状態では、取付ホルダ９ａ，９ｂは背板２ａから取り外し不能となる。
【００２６】
制御基板ケース７は、図４，５に示すように、制御基板８の表側を覆うカバー体１０と、制御基板８の裏側を覆うベース体１１と、カバー体１０とベース体１１を係合させる固定部材１２と、カバー体１０とベース体１１とを螺合する固定ネジ１３とを備えている。なお、以下では、制御基板８を収容した状態で、制御基板８の表側となる方向を制御基板ケース７の上方とし、また、図３において、固定部材１２が配設される側を制御基板ケース７の右側とし、さらに、図３中の下側を制御基板ケース７の前側として説明する。
【００２７】
制御基板ケース７に収容される制御基板８は、スロットマシンに配設される一般的なものであり、図４に示すように、その表側には、コネクタ８ａ，８ｂや各種チップ（図示省略）が実装されている。また、制御基板８の中央部には、固定ネジ１３を挿通する貫通孔８ｃが形成される。
【００２８】
カバー体１０は、図４，５に示すように、透明樹脂により一体的に成形された扁平な矩形箱体である。このカバー体１０は、制御基板８の表面全体を覆う上壁２０と、制御基板８の四辺を囲繞する側壁２１ａ〜２１ｄとによって構成され、その底部が開口している。上壁２０の下底面には、図５に示すように、制御基板８の外縁を支持する支持部２２が複数形成され、また、下底面中央部には、固定ネジ１３が螺合するボス部２３が形成される。また、上壁２０には、制御基板８に実装されたコネクタ８ａ，８ｂをケース外に露出させるコネクタ開口部２４が設けられる。また、カバー体１０の左上隅には、取付ホルダ９ａと螺合する庇部２５が外方に延成される。さらに、カバー体１０の左側壁２１ｂには、ベース体１１と係合するための係合孔２６が形成される。また、カバー体１０の右側部は、制御基板ケース７を封印するための封印装置４０を構成する。封印装置４０の詳細は後述する。
【００２９】
ベース体１１は、図４，５に示すように、透明樹脂によって一体成形された、カバー体１０と略同じ大きさの矩形箱体である。このベース体１１は、制御基板８の裏面全体を覆う底壁３０と、制御基板８の四辺を囲繞する側壁３１ａ〜３１ｄとによって構成され、その上部が開口している。底壁３０の中央には、図４，５に示すように、固定ネジ１３を貫通させる貫通孔が形成されたボス部３２が上方に突成される。そして、底壁３０の右側には、取付ホルダ９ｂの係止板部９５を挿通させるスリット状の挿通溝３３が形成される。また、ベース体１１の左側壁３１ｂには係合爪３４，３４が形成されており、カバー体１０とベース体１１を組み付けた状態で、この係合爪３４が、カバー体１０の係合孔２６と係合することで、カバー体１０とベース体１１の左側壁２１ｂ，３１ｂが係合される。また、ベース体１１の右側部は、カバー体１０の右側部とともに封印装置４０を構成する。封印装置４０の詳細は後述する。
【００３０】
固定部材１２は、カバー体１０及びベース体１１の右側部とともに封印装置４０を構成するものであり、図３〜５に示すように、制御基板ケース７の右側部に４つ並設されている。各固定部材１２は、図６に示すように、矩形板状をなす操作部４７の内側面に二本の固定ピン４８ａ，４８ｂを突成してなる樹脂部材である。固定部材１２の二本の固定ピン４８ａ，４８ｂは、同一形状をなしており、上下に重なる位置に並設されて、操作部４７と直交する方向に突出している。各固定ピン４８ａ，４８ｂは、カバー体１０とベース体１１を貫通して両者を係合させるものであり、各固定ピン４８ａ，４８ｂの頭部には、カバー体１０及びベース体１１から抜き取り不能とするための返し４９が設けられている。
【００３１】
以下に、本発明の要部に係る封印装置４０について説明する。
図３に示すように、封印装置４０は、制御基板ケース７の右側部に沿って並設された四つの封印構造４１ａ〜４１ｄによって構成される。各封印構造４１ａ〜４１ｄは、略同じ構造を有し、カバー体１０とベース体１１を係合させて制御基板ケース７を封印するモジュールを構成する。具体的には、各封印構造４１ａ〜４１ｄは、固定部材１２と、該固定部材１２によって係合される、カバー体１０及びベース体１１の右側部とにより構成される。各封印構造４１ａ〜４１ｄは、初期状態では、カバー体１０とベース体１１を係合しないロック前状態に設定される。そして、かかるロック前状態にあって、固定部材１２をケース内に押し込むことで、封印構造４１ａ〜４１ｄが、カバー体１０とベース体１１とを係合するロック状態に変換するよう構成されている。すなわち、かかる構成にあっては、少なくとも一つの封印構造４１ａ〜４１ｄがロック状態である時に、制御基板ケース７が封印状態となり、全ての封印構造４１ａ〜４１ｄがロック状態でない時に、制御基板ケース７が開放可能となる。
【００３２】
上述のように、各封印構造４１ａ〜４１ｄは、略同じ構造を有しているため、以下では、まず、前側に配設された第一封印構造４１ａの構成を説明し、その後、その他の封印構造４１ｂ〜４１ｄについて説明する。
【００３３】
第一封印構造４１ａは、図７，８に示すように、カバー体１０の右側壁２１ａによって構成される第一係止用側壁部（第一の係止用側壁部）４２と、ベース体１１の右側壁３１ａによって構成される第二係止用側壁部（第二の係止用側壁部）４３と、両係止用側壁部４２，４３を貫通する固定部材１２とを備えている。第二係止用側壁部４３は、第一係止用側壁部４２の外側に間隔をおいて平行に配置されており、対向する両係止用側壁部４２，４３の間に、固定ピン４８ａ，４８ｂを切断するための切断用間隙４４が形成される。また、各係止用側壁部４２，４３には、固定部材１２の固定ピン４８ａ，４８ｂが貫通する固定ピン貫通孔５０，５１が形成される。
【００３４】
第二係止用側壁部４３の外側には、固定部材１２を保持するための固定部材保持枠５３が形成される。固定部材保持枠５３は、矩形状の枠体であり、固定部材１２の操作部４７を、内外方向に摺動可能とする摺動空隙５４を有している。この摺動空隙５４は、操作部４７が略隙間なく内嵌し得る形状をなすとともに、外側に形成された開口部分から操作部４７を内方に押圧することで、固定部材１２をケース内方へ押し込み得るよう構成されている。
【００３５】
図７に示すように、第一封印構造４１ａのロック前状態では、固定部材１２は、固定ピン４８ａ，４８ｂが第二係止用側壁部４３のみを貫通する位置に保持される。そして、かかるロック前状態にあって、固定部材保持枠５３の外側から固定部材１２の操作部４７を内方に押圧すると、図８に示すように、固定ピン４８ａ，４８ｂの先端が第一係止用側壁部４２の固定ピン貫通孔５０に圧入され、固定ピン４８ａ，４８ｂが両係止用側壁部４２，４３を抜き取り不能に貫通することで、第一封印構造４１ａがロック状態に変換され、これにより、カバー体１０とベース体１１が係合されることとなる。
【００３６】
第一封印構造４１ａのロック状態は、両係止用側壁部４２，４３の間に形成される切断用間隙４４で固定ピン４８ａ，４８ｂを切断することで解除される。切断用間隙４４について詳述すると、図７，８に示すように、切断用間隙４４は、ロック前状態及びロック状態にあって、外部から隔絶されている。具体的には、切断用間隙４４の上部は、蓋板５６によって覆われている。この蓋板５６は、カバー体１０の上壁２０を右方に延出してなるものである。また、切断用間隙４４の底部は、ベース体１１の底壁３０によって覆われている。また、第一封印構造４１ａの切断用間隙４４の前側は、カバー体１０とベース体１１の前側壁２１ｃ，３１cによって覆われている。さらに、隣接する封印構造４１ｂとの間は、仕切り板５９ａ，５９ｂによって隔てられている。この仕切り板は、図９（ａ），１０に示すように、カバー体１０に形成される上側部分５９ａと、ベース体１１に形成される下側部分５９ｂとによって構成される。また、図７に示すように、切断用間隙４４には、上下方向の中間位置に、切断用間隙４４を横断する遮蔽部６０が配設されており、切断用間隙４４は、この遮蔽部６０によって上下に区画されている。遮蔽部６０は、図１０に示すように、第二係止用側壁部４３の内側に一体的に形成されており、その内側端縁を第一係止用側壁部４２に当接させている。
【００３７】
図７，９（ａ）に示すように、切断用間隙４４の上部を覆う蓋板５６は、矩形状の工具差込口６２を備えている。この工具差込口６２は、破断容易な破断部（上部破断部）６３によって閉塞されており、上部破断部６３を破断して工具差込口６２を開放することによって、外部から隔絶された切断用間隙４４に工具を挿入し得るよう構成される。ここで、上部破断部６３は、蓋板５６と連続する矩形状の板状体であり、工具差込口６２の外周縁に沿ってロ字状に形成された薄肉部６４を工具で破断することによって、蓋板５６から除去し得るよう構成されたものである。
【００３８】
また、図７，１０に示すように、切断用間隙４４を上下に隔てる遮蔽部６０は、矩形状の工具通過口６５を備えている。この工具通過口６５は、破断容易な破断部（下部破断部）６６によって閉塞されており、下部破断部６６を破断し、工具通過口６５を開放することによって、工具差込口６２から挿入した工具を切断用間隙４４の奥まで挿入し得るよう構成される。ここで、下部破断部６６は、遮蔽部６０と連続する矩形状の板状体であり、工具通過口６５の外周縁に沿ってコ字状に形成された薄肉部６７を工具で破断することによって、遮蔽部６０から除去し得るよう構成されたものである。
【００３９】
上記工具差込口６２と工具通過口６５は、図８，１１に示すように、上下に重なるように配置されており、固定部材１２の上部固定ピン４８ａは、工具差込口６２と工具通過口６５の間を通過して切断用間隙４４を横断し、下部固定ピン４８ｂは、工具通過口６５の下方を通過して切断用間隙４４を横断するよう構成されている。
【００４０】
第一封印構造４１ａのロック状態の解除手順について説明すると、図１２（ａ）に示すように、ロック状態では、工具差込口６２及び工具通過口６５が閉塞されているため、まず、図１２（ｂ）に示すように、工具を用いて上部破断部６３の薄肉部６４を破断することで工具差込口６２を開放する。この時、上部破断部６３は蓋板５６から完全に除去せず、上下方向に折り込むようにしてもよい。次に、図１２（ｃ）に示すように、開放した工具差込口６２に切断用工具を挿入し、上部固定ピン４８ａを切断して切れ端を第一係止用側壁部４２から脱落させる。続いて、図１３（ａ）に示すように、工具差込口６２に工具を挿入し、該工具を用いて下部破断部６６の薄肉部６７を破断して工具通過口６５を開放する。この時、下部破断部６６は遮蔽部６０から完全に除去せず、上下方向に折り込むようにしてもよい。そして、図１３（ｂ）に示すように、開放した工具差込口６２及び工具通過口６５に切断用工具を挿入し、下部固定ピン４８ｂを切断して切れ端を第一係止用側壁部４２から脱落させる。かかる手順によって上下の固定ピン４８ａ，４８ｂを切断すると、第一封印構造４１ａのロック状態が解除され、図１３（ｃ）に示すように、カバー体１０とベース体１１を分離して制御基板ケース７を開放させることが可能となる。このように、第一封印構造４１ａのロック状態は、切断用間隙４４で固定ピン４８ａ，４８ｂを切断することで解除され、ロック状態を解除すると再使用不能となる。また、ロック状態の解除後は、上部破断部６３が破断されて工具差込口６２が開放状態となるため、第一封印構造４１ａのロック状態が解除済みであることを一目で把握可能となる。
【００４１】
以上に述べたように、第一封印構造４１ａは、固定部材１２の操作部４７を押圧操作してロック状態とすることにより、制御基板ケース７を封印することができる。ここで、固定部材１２は、複数の固定ピン４８ａ，４８ｂを具備しているため、各固定ピン４８ａ，４８ｂを係止用側壁部４２，４３に貫通させることで、カバー体１０とベース体１１を強固に係合させることができる。一方で、各固定ピン４８ａ，４８ｂは、操作部４７の内側面に並設されて、同方向に突出しているため、操作部４７を一度押圧操作するだけで、全ての固定ピン４８ａ，４８ｂを第一係止用側壁部４２に纏めて貫通させることができる。したがって、かかる構成によれば、少ない手間でカバー体１０とベース体１１とを強固に係合させることが可能となる。
【００４２】
また、第一封印構造４１ａによって封印された制御基板ケース７は、上述のように第一封印構造４１ａのロック状態を解除することにより再び開放可能となる。ここで、ロック状態では、図１１に示すように、工具差込口６２、工具通過口６５と、二本の固定ピン４８ａ，４８ｂは、上下に重なるように一列に配置されているため、第一封印構造４１ａのロック状態を解除する際には、（１）上部破断部６３の破断、（２）上部固定ピン４８ａの切断、（３）下部破断部６６の破断、（４）下部固定ピン４８ｂの切断と、上から下へ順番に破断・切断作業を行うことで、ロック状態を効率よく解除することができる。特に、本実施例では、破断部６３，６６の破断と、固定ピン４８ａ，４８ｂの切断には、いずれもニッパーを用いることができるため、破断部６３，６６の破断と、固定ピン４８ａ，４８ｂの切断に共通の工具を使用することで、ロック状態の解除をスムーズに行うことができるという利点がある。したがって、かかる構成によれば、切断用間隙４４が遮蔽部６０によって隔てられ、また、複数の固定ピン４８ａ，４８ｂが係止用側壁部４２，４３を貫通していても、ロック状態の解除作業が煩雑にならない。
【００４３】
一方、かかる第一封印構造４１ａによって封印された制御基板ケース７を不正に開放しようとする場合は、不正開放が露見しないように、目立った痕跡を残さずに第一封印構造４１ａのロック状態を解除する必要がある。ここで、第一封印構造４１ａでは、工具差込口６２だけでなく、透明な蓋板５６を介して工具通過口６５も視認可能であるため、制御基板ケース７を不正開放する場合には、図１４に示すように、工具差込口６２及び工具通過口６５を閉塞する破断部６３，６６に目立った痕跡を残さずに切断用間隙４４に工具を挿入し、二本の固定ピン４８ａ，４８ｂを切断しなければならない。しかしながら、工具差込口６２は、制御基板ケース７の上部に露出しており、比較的細工が容易であるが、工具通過口６５は、蓋板５６に覆われて、切断用間隙４４の奥まった位置に配置されているため、下部破断部６６へは、不正工具を近付けることすら困難である。仮に、痕跡が目立たない方法で不正工具を蓋板５６の工具差込口６２へ挿入できたとしても、工具差込口６２を殆ど開口させずに挿入した不正工具は、満足に操作できない窮屈な状態であり、また、工具差込口６２と工具通過口６５の間を横切る上部固定ピン４８ａが障害となるため、下部破断部６６に目立った痕跡を残すことなく、当該不正工具を工具通過口６５へ挿入することはできず、当該不正工具を工具通過口６５に挿入すれば不正が露見することとなる。このように、第一封印構造４１ａは、目立った痕跡を残さずにロック状態を解除するのが極めて困難であるから、かかる第一封印構造４１ａによれば、制御基板ケース７を確実に封印可能となる。
【００４４】
また、第一封印構造４１ａでは、下部破断部６６の薄肉部６７の厚みが、上部破断部６３の薄肉部６４の半分程度となっており、下部破断部６６は、上部破断部６３に比べて脆く、破断され易く構成されている。このため、第一封印構造４１ａのロック状態を正規に解除する際には、下部破断部６６を容易に破断することができ、一方で、ロック状態を不正に解除しようとする場合は、下部破断部６６が脆い分だけ、目立った痕跡が残り易く、不正が露見し易いという利点がある。なお、上部破断部６３がケース上部に露出しているのに対して、下部破断部６６は切断用間隙４４の内部に設けられており、外部から衝撃が直に加わることがないため、下部破断部６６が、脆く、破断し易いものであっても、偶発的な衝撃により破損するおそれはない。
【００４５】
以上のように、第一封印構造４１ａによれば、従来の封印構造と同様の操作によって、制御基板ケース７の封印と封印解除を行うことができ、その一方で、目立った痕跡を残さずに制御基板ケース７の封印を解除することが従来構成に比して一層困難となる。このため、かかる第一封印構造４１ａによれば、制御基板ケース７の封印と封印解除の作業を煩雑化せずに、セキュリティを高めることが可能となる。
【００４６】
次に、第一封印構造４１ａ以外の封印構造４１ｂ〜４１ｄの構成について説明する。
図９〜１１に示すように、カバー体１０とベース体１１の左側部にあって、各封印構造４１ａ〜４１ｄを構成する部分は基本的に同形状であり、第一封印構造４１ａ以外の封印構造４１ｂ〜４１ｄは、第一封印構造４１ａと略同じ構成を有し、第一封印構造４１ａと同様の作用効果を奏する。具体的には、封印装置４０の後部に配設される第四封印構造４１ｄは、第一封印構造４１ａと全く同一構成である。一方、封印装置４０の中央に配設される第二封印構造４１ｂと第三封印構造４１ｃは、基本構成は第一封印構造４１ａと同じであるが、第二係止用側壁部４３や固定部材保持枠５３の寸法や配置が、第一封印構造とは若干異なっている。なお、第二封印構造４１ｂと第三封印構造４１ｃとは相互に同じ構成を有している。
【００４７】
ここで、第二封印構造４１ｂ及び第三封印構造４１ｃは、制御基板ケース７を封印するだけでなく、制御基板ケース７を筐体２の取付ホルダ９ｂ（図２，３参照）に係止する係止構造としても機能する。第二封印構造４１ｂを例に挙げて説明すると、まず、図１０に示すように、ベース体１１の底壁３０の左側中央部には、第二係止用側壁部４３の近傍に、取付ホルダ９ｂを挿通させる挿通溝３３が開口している。そして、第二封印構造４１ｂでは、図１５（ａ）に示すように、挿通溝３３からケース内に挿入された取付ホルダ９ｂの係止板部９５が、第一係止用側壁部４２の内側に、平行に配置され、なおかつ、係止板部９５に形成された係合孔９７，９７が、第一係止用側壁部４２の固定ピン貫通孔５０，５０と対向するよう構成されている。また、第二封印構造４１ｂの固定部材１２は、取付ホルダ９ｂを貫通し得るように、固定ピン４８ａ，４８ｂが第一封印構造４１ａよりも長くなっている。なお、第二封印構造４１ｂのうち、第一封印構造４１ａと同構成である部分については、図中で符号を共通させて説明を省略する。
【００４８】
かかる第二封印構造４１ｂは、第一封印構造４１ａ同様に、固定部材１２を押圧操作して固定ピン４８ａ，４８ｂを第一係止用側壁部４２に貫通させることで、ロック前状態からロック状態となる。ここで、第二封印構造４１ｂでは、図１５（ｂ）に示すように、第一係止用側壁部４２の内側に取付ホルダ９ｂの係止板部９５が隣接しているため、第一係止用側壁部４２を貫通した固定ピン４８ａ，４８ｂは、係止板部９５の係合孔９７，９７を貫通して係止板部９５から抜き取り不能となる。このため、第二封印構造４１ｂのロック状態では、両係止用側壁部４２，４３が係合して制御基板ケース７が封印されるだけでなく、両係止用側壁部４２，４３と取付ホルダ９ｂが係合することで、制御基板ケース７が取付ホルダ９ｂに係止されることとなる。また、第二封印構造４１ｂのロック状態は、第一封印構造４１ａ同様に、工具差込口６２及び工具通過口６５を開口させて、固定ピン４８ａ，４８ｂを切断することで解除することができる。そして、第二封印構造４１ｂのロック状態を解除すれば、制御基板ケース７の封印が解除されるとともに、制御基板ケース７の取付ホルダ９ａ，９ｂへの係止が解除される。
【００４９】
このように、本実施例では、第二封印構造４１ｂ及び第三封印構造４１ｃが、制御基板ケース７を取付ホルダ９ａ，９ｂに係止する係止構造としても機能するため、制御基板ケース７の係止構造を簡略化できるという利点がある。また、これらの封印構造４１ｂ，４１ｃでは、固定部材１２を押圧操作してロック状態とするだけで、制御基板ケース７の封印と、取付ホルダ９ｂへの係止とを同時に行うことができ、また、ロック状態を解除するだけで、制御基板ケース７の封印解除と、取付ホルダ９ａ，９ｂへの係止解除とを同時に行うことができる。このため、本実施例では、制御基板ケース７の封印・係止作業、またそれらの解除作業を別々の手順で行う場合に比べて、各作業を効率化できるという利点がある。
【００５０】
本実施例にあって、封印装置４０に設けられた四つの封印構造４１ａ〜４１ｄは、制御基板８の収容時、スロットマシン１への装着時、監督機関による検査時、そして、制御基板８の回収時に順番に使用される。具体的には、制御基板ケース７は、まず、製造工程において制御基板８を収容した時点で、第一封印構造４１ａをロック状態にすることにより封印される。そして、封印された制御基板ケース７はそのまま運搬され、取付ホルダ９ａ，９ｂを介してスロットマシン１の筐体２に取り付けられる。ここで、制御基板ケース７を筐体２に取り付けた時点で、第二封印構造４１ｂをロック状態にすることで、制御基板ケース７は筐体２に係止される。そして、制御基板ケース７を筐体２に取り付けた後に、監督機関が、制御基板８に正規のＲＯＭが装着されていることを確認する必要が生じた場合には、第一封印構造４１ａ及び第二封印構造４１ｂのロック状態を解除する。これにより、制御基板ケース７を筐体２から取り外して開放し、制御基板８をチェックすることが可能となる。制御基板８のチェック後は、制御基板ケース７を閉じ、筐体２の取付ホルダ９ａ，９ｂに取り付けて、第三封印構造４１ｃをロック状態とする。これにより、制御基板ケース７は再封印されるとともに、筐体２に再係止され、制御基板８への不正を防止した状態で、スロットマシン１を継続使用可能となる。そして、その後に、制御基板８を回収する場合には、第三封印構造４１ｃのロック状態を解除するとともに、第四封印構造４１ｄをロック状態とする。これにより、制御基板ケース７の封印状態を維持したまま、制御基板ケース７を筐体２から取り外して運搬可能となる。
【００５１】
このように、封印装置４０の各封印構造４１ａ〜４１ｄは、ロック状態を一旦解除したら再使用できないが、本実施例にあっては、これらの封印構造４１ａ〜４１ｄを順番に使用することにより、制御基板ケース７を再封印したり、筐体２に再係止したりすることができる。
【００５２】
なお、本発明は、上記実施例の形態に限らず本発明の要旨を逸脱しない範囲内において種々変更を加えることができる。
【００５３】
図１６は、上記実施例から、工具差込口６２と工具通過口６５の構成を変更した変形例である。図１１と比較すると明らかなように、かかる変形例では、工具差込口６２と工具通過口６５を、蓋板５６及び遮蔽部６０の板面方向にわずかにずらして配置し、夫々の外周縁が上下に一致しないようにすることで、夫々の外周縁に沿って形成された薄肉部６４，６７が重なり合わないよう構成されている。かかる変形例では、薄肉部６４を介して工具差込口６２に不正工具を挿入できた場合でも、その直下に、工具通過口６５の薄肉部６７が存在しないため、目立った痕跡を残さずに当該不正工具を工具通過口６５に挿入するのが一層困難となる。なお、かかる変形例では、工具差込口６２と工具通過口６５をずらして配置することによって、薄肉部６４，６７が重なり合わないようにしているが、工具差込口６２と工具通過口６５のサイズや形状を相違させた場合にも、外周縁の薄肉部や隙間が重なり合わないようにすることができる。具体的には、工具差込口６２を工具通過口６５より大きくすることや、工具差込口６２と工具通過口６５の一方を矩形状とし、他方を楕円形状とすることが挙げられる。
【００５４】
また、図１６に示す変形例では、第一封印構造４１ａの固定部材１２は、固定ピン４８ａ，４８ｂが上下に重なるように配設されているのに対し、その他の封印構造４１ｂ〜４１ｄの固定部材１２ａ〜１２ｃは、固定ピン４８ａ，４８ｂが上下に重ならないように、制御基板ケース７の前後方向にずらして配設されている。このように、固定ピン４８ａ，４８ｂをずらして配設した場合には、制御基板ケース７の上方から下部固定ピン４８ｂを目視し易くなり、各固定ピン４８ａ，４８ｂの状態を容易に把握可能となる。また、かかる変形例では、図１６に示すように、各封印構造４１ａ〜４１ｄの固定部材１２，１２ａ〜１２ｃは、上下の固定ピン４８ａ，４８ｂのずれ幅が夫々異なっており、各封印構造４１ａ〜４１ｄの係止用側壁部（図示省略）には、対応する固定ピン４８ａ，４８ｂのずれ幅に合わせた固定ピン貫通孔が形成される。このように、本変形例では、固定ピン４８ａ，４８ｂと固定ピン貫通孔の配置が、封印構造４１ａ〜４１ｄごとに異なるため、封印構造４１ａ〜４１ｄごとに専用の固定部材１２，１２ａ〜１２ｃを使用しなくてはならず、固定部材の複製品の製造が困難となる。このため、かかる変形例では、固定部材を切断して制御基板ケースを開放し、固定部材の複製品を用いて再封印するといった不正行為を行い難くなる。
【００５５】
また、上記実施例では、カバー体１０が蓋板５６を構成し、ベース体１１が遮蔽部６０を構成していたが、図１７（ａ）に示すように、ベース体１１が蓋板５６を構成し、カバー体１０が遮蔽部６０を構成するようにしてもよい、また、図１７（ｂ）に示すように、カバー体１０とベース体１１の一方が蓋板５６と遮蔽部６０の両方を構成するようにしてもよい。また、上記実施例では、カバー体１０の第一係止用側壁部４２が内側に、ベース体１１の第二係止用側壁部４３が外側に配置されていたが、図１７（ｂ）に示すように、第一係止用側壁部４２を外側に、第二係止用側壁部４３を内側に配置することもできる。
【００５６】
また、本発明に係る固定部材は、上記実施例のように固定ピン４８ａ，４８ｂが二本設けられた構成に限定されず、例えば、三本以上の固定ピンが設けられたものであってもよい。また、固定ピンの構成も、先端に返し４９が形成された棒状体に限定されるものではなく、係止用側壁部４２，４３を抜き取り可能に貫通する形状であればよく、固定部材に設けられた各固定ピンが同一形状である必要もない。また、図１７（ｃ）に示すように、固定部材１２の操作部４７は、板状体に限らず、丸みを帯びた形状であってもかまわないし、固定部材１２が、固定部材保持枠５３に保持されていなくてもかまわない。また、特許文献１に記載の封印構造のように、固定部材は、カバー体やベース体と一体成形したり、カバー体やベース体に固着したりすることもできる。
【００５７】
また、上記実施例の破断部６３，６６は、外周縁に薄肉部６４，６７が設けられた構成であるが、本発明に係る破断部の形状は、実施例の構成に限らず適宜変更することが可能である。例えば、図１８に示す破断部６３ａ，６６ａのように、全体を薄肉とすることもできる。また、図１８に示す破断部６３ｂ〜６３ｄのように、工具差込口６２の外周縁に隙間６８を形成し、細幅の接続部６９を介して、破断部６３ｂ〜６３ｄを工具差込口６２の周囲と接続する構成としてもよい。また、図１８に示す、工具差込口６２の外周縁の隙間６８は、薄肉部に変更することもできる。
【００５８】
また、上記実施例の制御基板ケース７は、本発明に係る封印構造４１ａ〜４１ｄを四つ具備してなるものであるが、制御基板ケース７に設けられる封印構造の数は適宜変更可能である。この場合、各封印構造は全く同一構成であってもよいし、全く構成が異なっていてもよい。また、上記実施例では、第二封印構造４１ｂ及び第三封印構造４１ｃが、制御基板ケース７を取付ホルダ９ｂに係止する係止構造を兼ねていたが、本発明にあって、制御基板ケースの係止構造は、封印構造とは別に配設することもできる。例えば、上記実施例の第二封印構造４１ｂ及び第三封印構造４１ｃでは、固定部材１２が、両方の係止用側壁部４２，４３と、係止板部９５とを貫通するよう構成されているが（図１５参照）、かかる封印構造４１ｂ，４１ｃの構成を変更して、固定部材１２が、いずれか一方の係止用側壁部４２，４３と、係止板部９５とを貫通するようにすれば、制御基板ケース７を封印することなく、制御基板ケース７を取付ホルダ９ｂに係止する係止構造が得られる。
【００５９】
また、上記実施例では、カバー体１０とベース体１１が透明樹脂で構成されているが、本発明に係るカバー体とベース体は、蓋板を透過して遮蔽部の破断部を視認可能な構成であれば、その他の部分は不透明であってもかまわない。例えば、外部から確認容易とするために、破断部や固定部材を目立つ色で着色してもよい。また、上記実施例は、スロットマシン１の制御基板８を収容する制御基板ケース７について説明したが、本発明は、かかる構成に限らず、パチンコ遊技機などの、他の遊技機の制御基板ケースにも適用可能であり、また、収容する制御基板の種類も特に限定されるものではない。
【符号の説明】
【００６０】
１  スロットマシン（遊技機）
２  筐体
２ａ  背板
７  遊技機用制御基板ケース
８  制御基板
９ａ，９ｂ  取付ホルダ
１０  カバー体
１１  ベース体
１２，１２ａ〜１２ｃ  固定部材
３３  挿通溝
４０  封印装置
４１ａ〜４１ｄ  封印構造
４２  第一係止用側壁部（第一の係止用側壁部）
４３  第二係止用側壁部（第二の係止用側壁部）
４４  切断用間隙
４７  操作部
４８ａ  上部固定ピン
４８ｂ  下部固定ピン
５０，５１  固定ピン貫通孔
５６  蓋板
６０  遮蔽部
６２  工具差込口
６３  上部破断部（破断部）
６４  薄肉部
６５  工具通過口
６６  下部破断部（破断部）
６７  薄肉部
６８  隙間
６９  接続部
９５  係止板部
９７  係合孔
【図１】
0005489128.tif 000002
【図２】
0005489128.tif 000003
【図３】
0005489128.tif 000004
【図４】
0005489128.tif 000005
【図５】
0005489128.tif 000006
【図６】
0005489128.tif 000007
【図７】
0005489128.tif 000008
【図８】
0005489128.tif 000009
【図９】
0005489128.tif 000010
【図１０】
0005489128.tif 000011
【図１１】
0005489128.tif 000012
【図１２】
0005489128.tif 000013
【図１３】
0005489128.tif 000014
【図１４】
0005489128.tif 000015
【図１５】
0005489128.tif 000016
【図１６】
0005489128.tif 000017
【図１７】
0005489128.tif 000018
【図１８】
0005489128.tif 000019